(57)【特許請求の範囲】
【請求項１】
合成樹脂部材に接続された金属部材と他の金属部材との摺動部に塗布される潤滑剤であって、鉱物油と、塩素化合物と、エステル合成油とから構成され、前記塩素化合物の含有率が１０質量％、前記鉱物油と、前記エステル合成油の含有率がそれぞれ４５質量％であることを特徴とする潤滑剤。
【請求項２】
合成樹脂部材に接続された金属部材と他の金属部材との摺動部を備え、
前記摺動部に、鉱物油と、塩素化合物と、エステル合成油とから構成され、前記塩素化合物の含有率が１０質量％、前記鉱物油と、前記エステル合成油の含有率がそれぞれ４５質量％である潤滑剤を塗布したことを特徴とする潤滑剤を用いた機器。
【発明の詳細な説明】
【０００１】
【産業上の利用分野】
この発明は、潤滑剤およびこれを用いた機器に関する。
【０００２】
【従来の技術】
ＡＶ機器などの電子機器には、合成樹脂製の筐体の外縁付近にロッドアンテナが取り付けられたものがある。このロッドアンテは、伸縮、回転、屈折の機械的要素が必要であるとともに、これら各要素が摩擦による保持力を保ち、円滑に動作し、耐久性に優れている必要がある。
このような機械的条件を満足させるために、従来のロッドアンテナでは、伸縮、回転、屈折を行なう金属部分に潤滑剤を塗布している。この潤滑剤としては、金属同士の潤滑性能を確保するために、鉱物油と塩素化合物を６対４程度の割合で混合したものを使用している。
【０００３】
【発明が解決しようとする課題】
しかしながら、このような従来の潤滑剤では、塩素化合物が極圧剤として非常に有効であるが、合成樹脂製の筐体に潤滑剤が付着すると塩素化合物が合成樹脂を侵すという悪影響を及ぼす。なお、この潤滑剤では、塩素化合物の割合を減らすと、所定の潤滑性能を確保することができなくなるという問題がある。
この発明の目的は、所定の潤滑性能を確保することができるとともに、合成樹脂への悪影響を低減することのできる潤滑剤およびこれを用いた機器を提供することである。
【０００４】
【課題を解決するための手段】
請求項１記載の発明は、合成樹脂部材に接続された金属部材と他の金属部材との摺動部に塗布される潤滑剤であって、鉱物油と、塩素化合物と、エステル合成油とから構成され、前記塩素化合物の含有率が１０質量％、前記鉱物油と、前記エステル合成油の含有率がそれぞれ４５質量％であるとしたことを特徴とするものである。請求項２記載の発明は、合成樹脂部材に接続された金属部材と他の金属部材との摺動部に設けられた摺動部に、鉱物油と、塩素化合物と、エステル合成油とから構成され、前記塩素化合物の含有率が１０質量％、前記鉱物油と、前記エステル合成油の含有率がそれぞれ４５質量％である潤滑剤を塗布したことを特徴とするものである。
【０００５】
【作用】
請求項１記載の発明によれば、潤滑剤を鉱物油と塩素化合物とエステル合成油とで構成したから、塩素化合物を低減しても、エステル合成油により所定の潤滑性能を確保することができ、しかも塩素化合物の含有率を１０質量％、としたので、付近の合成樹脂部材に付着しても合成樹脂部材への悪影響を低減することができる。請求項２記載の発明によれば、潤滑剤を鉱物油と塩素化合物とエステル合成油とで構成するとともに塩素化合物の含有率を１０質量％とし、この潤滑剤を摺動部に塗布したので、請求項１記載の発明と同様、塩素化合物を低減しても、エステル合成油により摺動部の潤滑性能を十分に確保することができるとともに、摺動部に塗布された潤滑剤がその近くの合成樹脂部材に付着しても、合成樹脂部材への悪影響を低減することができる。
【０００６】
【実施例】
以下、図１〜図３を参照して、この発明の潤滑剤を用いた機器の一実施例について説明する。
図１は携帯用小型テレビなどの電子機器の一部を示した図である。この電子機器は、合成樹脂製の機器ケース１を備えている。この機器ケース１の上部隅部には、電波を受信するロッドアンテナ２が取り付けられている。ロッドアンテナ２は、機器ケース１内にビス止めされるアンテナ保持部材３と、このアンテナ保持部材３に回転自在に取り付けられる回転取付部材４と、この回転取付部材４に屈折可能に取り付けられる伸縮自在のアンテナポール５とからなっている。
【０００７】
アンテナ保持部材３は、図３に示すように、軸方向にスリット６ａが形成された円筒部６と、この円筒部６の一端部に設けられた平板状の固定部７とからなり、これらが導電性を有する金属で一体に形成され、図２に示すように、円筒部６の先端が外部に露出した状態で固定部７が機器ケース１内に配置され、この固定部７が機器ケース１内の回路基板８と共にビス９によって機器ケース１に固定された構造になっている。
回転取付部材４は、図３に示すように、アンテナ保持部材３の円筒部６内に回転自在に取り付けられる回転部１０と、この回転部１０の先端に設けられた取付部１１とからなり、取付部１１の先端が図１および図２に示すように機器ケース１の外部に突出し、この突出した先端部に取付溝１２が設けられているとともに、この取付溝１２の対向部にピン取付孔１３が設けられた構造になっている。
アンテナポール５は、複数のポール部が順次伸縮可能に収納される外装ポール部１４の基端部に図１に示すように挿入部１５が設けられ、この挿入部１５が取付溝１２に挿入した状態でピン取付孔１３に取り付けられたピン１６により回動可能に取り付けられた構造になっている。
【０００８】
そして、アンテナ保持部材３の円筒部６の内面と回転取付部材４の回転部１０の外周面との摺動面、および回転取付部材４の取付溝１２の対向面とアンテナポール５の挿入部１５の外面との摺動面には、潤滑剤が塗布されている。この潤滑剤は、鉱物油と、塩素化ノルマルパラフィンなどの塩素化合物と、エステル合成油とから構成され、塩素化合物の含有率が約５質量％から２０質量％以下で、残りが鉱物油とエステル合成油とをほぼ半々に構成されている。この場合、塩素化合物の含有率は約１０質量％で、鉱物油とエステル合成油との各含有率はそれぞれ４５質量％程度が好ましい。
【０００９】
このような電子機器では、潤滑剤を鉱物油と塩素化合物とエステル合成油とで構成するとともに、塩素化合物の含有率を約５質量％から約２０質量％以下としたので、塩素化合物を従来の半分以下に低減させても、代替物としてエステル合成油を用いたことにより所定の潤滑性能を確保することができ、しかもロッドアンテナ２の摺動面に塗布された潤滑剤がその付近の合成樹脂製の機器ケース１に付着しても、塩素化合物の含有量が約２０質量％以下と少ないので、塩素化合物による機器ケース１への悪影響を低減することができる。特に、塩素化合物の含有率が約１０質量％であれば、潤滑性能を十分に確保することができるとともに、合成樹脂製の機器ケース１への悪影響を大幅に低減することができる。
【００１０】
次に、合成樹脂に対する実施例の潤滑剤と従来の潤滑剤との比較試験について説明する。
ここで使用する潤滑剤は、実施例のものが塩素化合物１０質量％、鉱物油４５質量％、エステル合成油４５質量％であり、従来のものが鉱物油６０質量％、塩素化合物４０質量％である。試験内容は、発泡スチロール試験と、ＡＢＳ樹脂板試験の２種類である。発泡スチロール試験は、板厚２０ｍｍの発泡スチロールに試験用の潤滑剤を含ませた脱脂綿を載せて８０℃の環境中に２４時間放置する。ＡＢＳ樹脂板試験は、ＡＢＳ樹脂の平板を湾曲させて応力が加わった状態にし、この平板上に試験用の潤滑剤を滴下して６０℃の環境中に４８時間放置する。
発泡スチロール試験の結果は、従来の潤滑剤では平板に貫通孔を形成したが、実施例の潤滑剤では平板を約２ｍｍ侵食しただけであった。また、ＡＢＳ樹脂板試験の結果は、従来の潤滑剤では平板にクラックが発生したの対し、実施例の潤滑剤ではクラックの発生はなかった。
これらの試験結果から明らかなように、この実施例の潤滑剤は、従来の潤滑剤よりも、合成樹脂に対する悪影響が非常に少ないことがわかる。
【００１１】
なお、上記実施例では、ロッドアンテナ２を備えた電子機器に適用した場合について述べたが、これに限らず、例えばラップトップ型のパーソナルコンピュータにおける表示部を有する蓋ケースの回動部分など、潤滑剤を必要とする摺動部を備えた機器に広く適用することができる。
【００１２】
【発明の効果】
以上説明したように、請求項１記載の発明によれば、潤滑剤を鉱物油と塩素化合物とエステル合成油とで構成したから、塩素化合物を低減しても、代替物のエステル合成油により所定の潤滑性能を確保することができ、しかも塩素化合物の含有率を１０％としたので、付近の合成樹脂部材に付着しても合成樹脂部材への悪影響を低減することができる。請求項２記載の発明によれば、潤滑剤を鉱物油と塩素化合物とエステル合成油とで構成するとともに塩素化合物の含有率を１０質量％とし、この潤滑剤を摺動部に塗布したので、請求項１記載の発明と同様、塩素化合物を低減しても、代替物のエステル合成油により摺動部の潤滑性能を十分に確保することができるとともに、摺動部に塗布された潤滑剤がその近くの合成樹脂部材に付着しても、合成樹脂部材への悪影響を低減することができる。
【図面の簡単な説明】
【図１】この発明を適用したロッドアンテナを有する電子機器の一実施例の要部を示す外観図。
【図２】図１の要部断面図。
【図３】図２のロッドアンテナの要部分解斜視図。
【符号の説明】
１  機器ケース
２  ロッドアンテナ
３  アンテナ保持部材
４  回転取付部材
５  アンテナポール
【図１】
0003962821.tif 000002
【図２】
0003962821.tif 000003
【図３】
0003962821.tif 000004